(57)【要約】      （修正有）【課題】高い透過率及び開口率と高い色再現性を有し、新しい画素構造に適合したデータレンダリングを遂行する表示装置を提供する。【解決手段】表示装置１０００は、表示パネル１００、タイミングコントローラ２００、ゲートドライバ３００及びデータドライバ４００を含み、表示パネル１００は複数の画素ＰＸ及び複数のサブ画素ＳＰを含み、画素の中で２つの画素ＰＸ＿Ａ、ＰＸ＿Ｂは５つのサブ画素ＳＰを含み、２つの画素は５つのサブ画素の中の一つのサブ画素ＳＰ＿Ｓを互いに共有し、タイミングコントローラ２００は４つのサブ画素ＳＰ＿Ｎと同一の面積を有する領域に基づいて設定されたフィルタを含み、タイミングコントローラ２００は、入力データを基にレッド、グリーン、ブルー、及びホワイトデータを有するＲＧＢＷのデータＲＧＢＷｆを生成し、ＲＧＢＷのデータＲＧＢＷｆにフィルタを適用してサブ画素ＳＰの各々に対応する出力データを生成する。【選択図】図１
2016145982.tif 000002
【特許請求の範囲】
【請求項１】
各々が複数のサブ画素を含む複数の画素を含み、前記画素の中で２つの画素は、５つの前記サブ画素を含み、前記２つの画素は、前記５つのサブ画素の中の一つのサブ画素を互いに共有する表示パネルと、
４つの前記サブ画素と同一の面積を有する領域に基づいて設定されたフィルタを含み、入力データを基にレッド、グリーン、ブルー、及びホワイトデータを有するＲＧＢＷのデータを生成し、前記ＲＧＢＷのデータに前記フィルタを適用して前記サブ画素の各々に対応する出力データを生成するタイミングコントローラと、
前記サブ画素にゲート信号を伝送するゲートドライバと、
前記サブ画素に前記出力データに対応するデータ電圧を提供するデータドライバと、を含む表示装置。
【請求項２】
前記サブ画素は、２行４列、又は４行２列に配列された８つのサブ画素からなるサブ画素のグループ単位に反復的に配列され、前記サブ画素のグループは、２つのレッドのサブ画素、２つのグリーンのサブ画素、２つのブルーのサブ画素、及び２つのホワイトのサブ画素を含む請求項１に記載の表示装置。
【請求項３】
前記画素の各々の横縦比は、実質的に１：１である請求項１に記載の表示装置。
【請求項４】
前記サブ画素の各々の横縦比は、実質的に１：２．５である請求項１に記載の表示装置。
【請求項５】
前記サブ画素の中で２行５列に配列されたサブ画素は、実質的に正方形をなす請求項１に記載の表示装置。
【請求項６】
前記タイミングコントローラは、
前記入力データを線形化させるガンマ補正部と、
前記線形化された入力データをレッド、グリーン、ブルー、及びホワイト色域にマッピングさせて前記ＲＧＢＷのデータを生成するガンママッピング部と、
前記ＲＧＢＷのデータを前記画素の各々に対応する単位画素のデータ毎に分析して飽和された色相データを有するか否かに関する情報を有する飽和信号を生成する飽和データ決定部と、
前記ＲＧＢＷのデータをレンダリングして前記サブ画素の各々に対応するレンダリングデータを生成するサブ画素レンダリング部と、
前記レンダリングデータを非線形化させる逆ガンマ補正部を含む請求項１に記載の表示装置。
【請求項７】
前記フィルタは、
前記レンダリングデータの中でターゲット画素に対応するデータを前記ＲＧＢＷのデータの中で前記ターゲット画素と前記ターゲット画素に隣接する周囲画素に対応するデータとに基づいて生成する再サンプリングフィルタと、
前記ＲＧＢＷのデータが有するレッド、グリーン、又はブルー色相を含むドットパターン、又は斜線パターンを補償するボックスフィルタを含む請求項６に記載の表示装置。
【請求項８】
前記サブ画素レンダリング部は、
前記ＲＧＢＷのデータに前記再サンプリングフィルタを適用しながら、歪曲されることを補償するメタ−シャープフィルタと、
前記ＲＧＢＷのデータが有するレッド、グリーン、又はブルー色相を含む水平ラインのパターン、又は垂直ラインのパターンに前記再サンプリングフィルタを適用しながら、歪曲されることを補償するセルフ−シャープフィルタと、
第１入力端及び第２入力端を含み、前記ＲＧＢＷのデータを分析してドットパターンや斜線パターンが検出されるか否かにしたがって前記第１入力端と前記第２入力端に受信されるデータの中でいずれか１つを選択的に出力するパターン検出フィルタと、
第３入力端及び第４入力端を含み、前記飽和信号を分析して飽和された色相が検出されるか否かにしたがって前記第３入力端と前記第４入力端に受信されるデータの中でいずれか１つを選択的に出力する飽和色相検出フィルタをさらに含む請求項７に記載の表示装置。
【請求項９】
前記パターン検出フィルタの前記第１入力端には、前記ＲＧＢＷのデータに前記再サンプリングフィルタを適用したデータと前記ＲＧＢＷのデータに前記セルフ−シャープフィルタを適用したデータとを合わせたデータが入力され、
前記パターン検出フィルタの前記第２入力端には、前記ＲＧＢＷのデータに前記ボックスフィルタを適用したデータが入力される請求項７に記載の表示装置。
【請求項１０】
前記飽和色相検出フィルタの前記第３入力端には、前記ＲＧＢＷのデータに前記再サンプリングフィルタを適用したデータと前記ＲＧＢＷのデータに前記メタ−シャープフィルタを適用したデータとを合わせたデータが入力され、
前記飽和色相検出フィルタの前記第４入力端には、前記パターン検出フィルタから出力されたデータが入力される請求項７に記載の表示装置。
【発明の詳細な説明】
【技術分野】
【０００１】
本発明は、表示装置に関し、より詳細には、データレンダリングの動作を遂行する表示装置に関する。
【背景技術】
【０００２】
従来のディスプレイ装置の各画素は、レッド、グリーン、及びブルー色相を各々に表現する３つのサブ画素を含む。このような構造をＲＧＢ  Ｓｔｒｉｐｅ構造と称する。
【０００３】
近年、１つの画素が４つのサブ画素、例えば、レッド、グリーン、ブルー、及びホワイトのサブ画素からなるＲＧＢＷ構造を利用してディスプレイ装置の輝度を向上させるための技術が開発されている。また、ＲＧＢ  Ｓｔｒｉｐｅ構造の各画素が形成される領域に２つのサブ画素（ＲＧＢＷの中で２つ）が形成されるように設計した構造を利用してディスプレイ装置の全体的な開口率及び透過率を上げる技術が開発されている。
【先行技術文献】
【特許文献】
【０００４】
【特許文献１】韓国特許第１０−１０６６４１６号公報
【特許文献２】米国特許第７，４１７，６４８号公報
【特許文献３】米国特許公開第２００４／００５１７２４号明細書
【特許文献４】日本国特許第５，３２１，６２７号公報
【発明の概要】
【発明が解決しようとする課題】
【０００５】
本発明の目的は、より高い透過率及び開口率を有する表示装置を提供することにある。また、本発明の他の目的は、より高い色再現性を有する表示装置を提供することにある。
【０００６】
本発明は、新しい画素構造に適合したデータレンダリングの動作を遂行する表示装置を提供することを目的とする。
【課題を解決するための手段】
【０００７】
表示装置は、表示パネル、タイミングコントローラ、ゲートドライバ、及びデータドライバを含む。
【０００８】
前記表示パネルは、各々が複数のサブ画素を含む複数の画素を含むことができる。前記画素の中で２つの画素は、５つの前記サブ画素を含み、前記２つの画素は、前記５つのサブ画素の中の一つのサブ画素を互いに共有することができる。
【０００９】
前記タイミングコントローラは、４つの前記サブ画素と同一の面積を有する領域に基づいて設定されたフィルタを含むことができる。前記タイミングコントローラは、入力データを基にレッド、グリーン、ブルー、及びホワイトデータを有するＲＧＢＷのデータを生成し、前記ＲＧＢＷのデータに前記フィルタを適用して前記サブ画素の各々に対応する出力データを生成することができる。
【００１０】
前記ゲートドライバは、前記サブ画素にゲート信号を送信することができる。
【００１１】
前記データドライバは、前記サブ画素に前記出力データに対応するデータ電圧を提供する。
【００１２】
前記サブ画素は、２行４列、又は４行２列に配列された８つのサブ画素からなされたサブ画素のグループ単位に反復的に配列され、前記サブ画素のグループは、２つのレッドのサブ画素、２つのグリーンのサブ画素、２つのブルーのサブ画素、及び２つのホワイトのサブ画素を含むことができる。
【００１３】
前記画素の各々の横縦比は、実質的に１：１であってもよい。
【００１４】
前記サブ画素の各々の横縦比は、実質的に１：２．５であってもよい。
【００１５】
前記サブ画素の中で２行５列に配列されたサブ画素は、実質的に正方形をなすことができる。
【００１６】
前記タイミングコントローラは、ガンマ補正部、ガンママッピング部、データ決定部、サブ画素レンダリング部、及び逆ガンマ補正部を含むことができる。
【００１７】
前記ガンマ補正部は、前記入力データを線形化させることができる。前記ガンママッピング部は、前記線形化された入力データをレッド、グリーン、ブルー、及びホワイト色域にマッピングさせ、前記ＲＧＢＷのデータを生成することができる。前記飽和データ決定部は、前記ＲＧＢＷのデータを前記画素の各々に対応する単位画素のデータ毎に分析して飽和された色相データを有するか否かに関する情報を有する飽和信号を生成することができる。前記サブ画素レンダリング部は、前記ＲＧＢＷのデータをレンダリングして前記サブ画素の各々に対応するレンダリングデータを生成することができる。前記逆ガンマ補正部は、前記レンダリングデータを非線形化させることができる。
【００１８】
前記フィルタは、再サンプリングフィルタ及びボックスフィルタを含むことができる。前記再サンプリングフィルタは、前記レンダリングデータの中でターゲット画素に対応するデータを前記ＲＧＢＷのデータの中で前記ターゲット画素と前記ターゲット画素に隣接する周囲画素に対応するデータとに基づいて生成することができる。前記ボックスフィルタは、前記ＲＧＢＷのデータが有するレッド、グリーン、又はブルー色相を含むドットパターン、又は斜線パターンを補償することができる。
【００１９】
前記サブ画素レンダリング部は、メタ−シャープフィルタ、セルフ−シャープフィルタ、パターン検出フィルタ、及び飽和色相検出フィルタを含むことができる。
【００２０】
前記メタ−シャープフィルタは、前記ＲＧＢＷのデータに前記再サンプリングフィルタを適用しながら、歪曲されることを補償することができる。前記セルフ−シャープフィルタは、前記ＲＧＢＷのデータが有するレッド、グリーン、又はブルー色相を含む水平ラインのパターン、又は垂直ラインのパターンに前記再サンプリングフィルタを適用しながら、歪曲されることを補償することができる。前記パターン検出フィルタは、第１入力端及び第２入力端を含み、前記ＲＧＢＷのデータを分析してドットパターンや斜線パターンが検出されるか否かにしたがって前記第１入力端と前記第２入力端に受信されるデータの中でいずれか１つを選択的に出力することができる。前記飽和色相検出フィルタは、第３入力端及び第４入力端を含み、前記飽和信号を分析して飽和された色相が検出されるか否かにしたがって前記第３入力端と前記第４入力端に受信されるデータの中でいずれか１つを選択的に出力することができる。
【００２１】
前記パターン検出フィルタの前記第１入力端には前記ＲＧＢＷのデータに前記再サンプリングフィルタを適用したデータと前記ＲＧＢＷのデータに前記セルフ−シャープフィルタを適用したデータとを合わせたデータが入力されることができる。前記パターン検出フィルタの前記第２入力端には、前記ＲＧＢＷのデータに前記ボックスフィルタを適用したデータが入力されることができる。
【００２２】
前記飽和色相検出フィルタの前記第３入力端には、前記ＲＧＢＷのデータに前記再サンプリングフィルタを適用したデータと前記ＲＧＢＷのデータに前記メタ−シャープフィルタを適用したデータとを合わせたデータが入力されることができる。前記飽和色相検出フィルタの前記第４入力端には、前記パターン検出フィルタから出力されたデータが入力されることができる。
【００２３】
前記再サンプリングフィルタは、第１乃至第５再サンプリングフィルタを含むことができる。前記メタ−シャープフィルタは、前記第１乃至第５再サンプリングフィルタの各々に対応して演算される第１乃至第５メタ−シャープフィルタを含むことができる。前記セルフ−シャープフィルタは、前記第１乃至第５再サンプリングフィルタの各々に対応して演算される第１乃至第５セルフ−シャープフィルタを含むことができる。前記ボックスフィルタは、第１乃至第５ボックスフィルタを含むことができる。
【発明の効果】
【００２４】
本発明の表示装置によれば、表示装置の透過率及び開口率を向上させることができる。また、表示装置の色再現性を向上させることができる。
【図面の簡単な説明】
【００２５】
【図１】本発明の実施形態による表示装置の概略的なブロック図である。
【図２】本発明の一実施形態による図１の表示パネルの一部を示した図面である。
【図３】図２の第１画素とその周辺とを拡大して示した図面である。
【図４】図２の１つのサブ画素（レッドサブ画素）とその周辺とを拡大して示した図面である。
【図５】図１のタイミングコントローラを示したブロック図である。
【図６】図５のサブ画素レンダリング部を示したブロック図である。
【図７】表示パネルに再サンプリング領域を示した図面である。
【図８】表示パネルで図７の再サンプリング領域を占める画素領域の比率を示した図面である。
【図９Ａ】第１再サンプリングフィルタを示した図面である。
【図９Ｂ】第２再サンプリングフィルタを示した図面である。
【図９Ｃ】第３再サンプリングフィルタを示した図面である。
【図９Ｄ】第４再サンプリングフィルタを示した図面である。
【図９Ｅ】第５再サンプリングフィルタを示した図面である。
【図１０Ａ】第１メタ−シャープフィルタを示した図面である。
【図１０Ｂ】第２メタ−シャープフィルタを示した図面である。
【図１０Ｃ】第３メタ−シャープフィルタを示した図面である。
【図１０Ｄ】第４メタ−シャープフィルタを示した図面である。
【図１０Ｅ】第５メタ−シャープフィルタを示した図面である。
【図１１Ａ】第１セルフ−シャープフィルタを示した図面である。
【図１１Ｂ】第２セルフ−シャープフィルタを示した図面である。
【図１１Ｃ】第３セルフ−シャープフィルタを示した図面である。
【図１１Ｄ】第４セルフ−シャープフィルタを示した図面である。
【図１１Ｅ】第５セルフ−シャープフィルタを示した図面である。
【図１２】ボックスフィルタを導出する過程を示した図面である。
【図１３Ａ】第１ボックスフィルタを示した図面である。
【図１３Ｂ】第２ボックスフィルタを示した図面である。
【図１３Ｃ】第３ボックスフィルタを示した図面である。
【図１３Ｄ】第４ボックスフィルタを示した図面である。
【図１３Ｅ】第５ボックスフィルタを示した図面である。
【図１４】本発明の他の実施形態に係る図１の表示パネルの一部を示した図面である。
【図１５】本発明の他の実施形態に係る図１の表示パネルの一部を示した図面である。
【発明を実施するための形態】
【００２６】
本発明は、多様な変更を加えることができ、様々な形態を有することができるので、特定の実施形態を図面に例示し、本文で詳細に説明する。しかし、これは、本発明を特定の開示形態に対して限定しようとすることではなく、本発明の思想及び技術範囲に含まれる全ての変更、均等物乃至代替物を含むものとして理解しなければならない。
【００２７】
図１は、本発明の実施形態による表示装置の概略的なブロック図である。
【００２８】
図１を参照すれば、本発明の実施形態による表示装置１０００は、表示パネル１００、タイミングコントローラ２００、ゲートドライバ３００、及びデータドライバ４００を含む。
【００２９】
前記表示パネル１００は、映像を表示する。表示パネル１００は、特別に限定されるものではなく、例えば液晶表示パネル（ｌｉｑｕｉｄ  ｃｒｙｓｔａｌ  ｄｉｓｐｌａｙ  ｐａｎｅｌ）、有機発光表示パネル（ｏｒｇａｎｉｃ  ｌｉｇｈｔ  ｅｍｉｔｔｉｎｇ  ｄｉｓｐｌａｙ  ｐａｎｅｌ）、電氣泳動表示パネル（ｅｌｅｃｔｒｏｐｈｏｒｅｔｉｃ  ｄｉｓｐｌａｙ  ｐａｎｅｌ）、エレクトロ・ウェッティング表示パネル（ｅｌｅｃｔｒｏｗｅｔｔｉｎｇ  ｄｉｓｐｌａｙ  ｐａｎｅｌ）等を採用することができる。
【００３０】
表示パネル１００が自発光型の表示パネルである有機発光表示パネルである場合、表示パネル１００に光を提供するバックライトユニットが要求されない。しかし、表示パネル１００が非発光型である液晶表示パネルの場合、表示装置１０００は、表示パネル１００に光を提供するためのバックライトユニット（図示せず）をさらに含む。
【００３１】
表示パネル１００は、第１方向ＤＲ１に延長する複数のゲートラインＧＬ１〜ＧＬｋと前記第１方向ＤＲ１に交差する第２方向ＤＲ２に延長する複数のデータラインＤＬ１〜ＤＬｍとを含む。
【００３２】
表示パネル１００は、複数のサブ画素ＳＰを含む。サブ画素ＳＰの各々は、ゲートラインＧＬ１〜ＧＬｋのいずれか及びデータラインＤＬ１〜ＤＬｍのいずれかに連結される。図１には、第１ゲートラインＧＬ１と第１データラインＤＬ１とに連結されたサブ画素ＳＰを一例として示した。
【００３３】
表示パネル１００は、複数の画素ＰＸ＿Ａ、ＰＸ＿Ｂを含む。複数の画素ＰＸ＿Ａ、ＰＸ＿Ｂの各々は、ｘ＋０．５個（ｘは、自然数）のサブ画素を含む。即ち、複数の画素ＰＸ＿Ａ、ＰＸ＿Ｂの各々は、ｘ個のノーマルのサブ画素ＳＰ＿Ｎと１つの共有サブ画素ＳＰ＿Ｓとに対する一定な持分を有する。２つの画素ＰＸ＿Ａ、ＰＸ＿Ｂは、１つの共有サブ画素ＳＰ＿Ｓを互いに共有する。本発明の実施形態で複数の画素ＰＸ＿Ａ、ＰＸ＿Ｂの各々は、２．５個のサブ画素を含むことを例示的に説明する。
【００３４】
タイミングコントローラ２００は、外部のグラフィック制御部（図示せず）から入力データＲＧＢ及び制御信号ＣＳを受信する。入力データＲＧＢは、レッド、グリーン、及びブルーデータからなる。制御信号ＣＳは、フレームの行区別信号である垂直同期信号、行区別信号である水平同期信号、データが入ってくる区域を表示するためにデータが出力される期間の間にハイレベルとなるデータイネーブル信号、及びメーンクロック信号を含む。
【００３５】
タイミングコントローラ２００は、入力データＲＧＢに基づいてサブ画素ＳＰに対応するデータを生成し、生成されたデータのデータフォーマットをデータドライバ４００のインターフェイス仕様に合うように変換する。タイミングコントローラ２００は、変換された出力データＲＧＢＷｆをデータドライバ４００に出力する。具体的に、タイミングコントローラ２００は、入力データＲＧＢに基づいてレンダリング動作を遂行してサブ画素ＳＰに対応するデータを生成する。これと関連した具体的な内容は、後述される。
【００３６】
タイミングコントローラ２００は、制御信号ＣＳに基づいてゲート制御信号ＧＣＳ及びデータ制御信号ＤＣＳを生成する。タイミングコントローラ２００は、ゲート制御信号ＧＣＳをゲートドライバ３００に出力し、データ制御信号ＤＣＳをデータドライバ４００に出力する。
【００３７】
ゲート制御信号ＧＣＳは、ゲートドライバ３００を駆動するための信号であり、データ制御信号ＤＣＳは、データドライバ４００を駆動するための信号である。
【００３８】
ゲートドライバ３００は、ゲート制御信号ＧＣＳに基づいてゲート信号を生成し、ゲート信号をゲートラインＧＬ１〜ＧＬｋに出力する。ゲート制御信号ＧＣＳは、走査開始を指示する走査開始信号、ゲートオン電圧の出力周期を制御する少なくとも１つのクロック信号、及びゲートオン電圧の持続時間を限定する出力イネーブル信号を含む。
【００３９】
データドライバ４００は、データ制御信号ＤＣＳに基づいて変換された出力データＲＧＢＷｆにしたがう階調電圧を生成し、これをデータ電圧としてデータラインＤＬ１〜ＤＬｍに出力する。データ制御信号ＤＣＳは、変換された出力データＲＧＢＷｆがデータドライバ４００に伝送されることの開始を知らせる水平開始信号ＳＴＨ、データラインＤＬ１〜ＤＬｍにデータ電圧の印加を示すロード信号、及び共通電圧に対してデータ電圧の極性を反転させる反転信号（液晶表示パネルの場合）を含む。
【００４０】
タイミングコントローラ２００、ゲートドライバ３００、及びデータドライバ４００の各々は、少なくとも１つの集積回路チップの形状に表示パネル１００に直接装着されるか、或いは可撓性の印刷回路基板（ｆｌｅｘｉｂｌｅ  ｐｒｉｎｔｅｄ  ｃｉｒｃｕｉｔ  ｂｏａｒｄ）の上に装着されてＴＣＰ（ｔａｐｅ  ｃａｒｒｉｅｒ  ｐａｃｋａｇｅ）の形状に表示パネル１００に装着されるか、或いは別途の印刷回路基板（ｐｒｉｎｔｅｄ  ｃｉｒｃｕｉｔ  ｂｏａｒｄ）の上に装着される。これとは異なり、ゲートドライバ３００及びデータドライバ４００の中で少なくとも１つは、ゲートラインＧＬ１〜ＧＬｋ及びデータラインＤＬ１〜ＤＬｍと共に表示パネル１００に集積されてもよい。また、タイミングコントローラ２００、ゲートドライバ３００、及びデータドライバ４００は、単一のチップに集積されてもよい。
【００４１】
図２は、本発明の一実施形態による図１の表示パネルの一部を示した図面である。
【００４２】
図２を参照すれば、表示パネル１００は、複数のサブ画素Ｒ、Ｇ、Ｂ、Ｗを含む。サブ画素Ｒ、Ｇ、Ｂ、Ｗは、原色（ｐｒｉｍａｒｙ  ｃｏｌｏｒ）の中で１つを表示する。本実施形態で、原色は、レッド、グリーン、ブルー、及びホワイトを含む。したがって、サブ画素Ｒ、Ｇ、Ｂ、Ｗは、レッドのサブ画素Ｒ、グリーンのサブ画素Ｇ、ブルーのサブ画素Ｂ、及びホワイトのサブ画素Ｗを含む。一方、これに制限されることではなく、原色は、イエロー、シアン、及びマゼンタ等の多様な色相をさらに含むことができる。
【００４３】
図２で、サブ画素Ｒ、Ｇ、Ｂ、Ｗは、２行４列に配列された８つのサブ画素からなるサブ画素のグループＳＰＧ単位に反復的に配列される。サブ画素グループＳＰＧは、２つのレッドのサブ画素Ｒ、２個のグリーンのサブ画素Ｇ、２個のブルーのサブ画素Ｂ、及び２つのホワイトのサブ画素Ｗを含む。
【００４４】
図２で、サブ画素のグループＳＰＧの中で第１行のサブ画素は、第１方向ＤＲ１にレッドのサブ画素Ｒ、グリーンのサブ画素Ｇ、ブルーのサブ画素Ｂ、及びホワイトのサブ画素Ｗの順に配列される。また、サブ画素のグループＳＰＧの中で第２行のサブ画素は、第１方向ＤＲ１にブルーのサブ画素Ｂ、ホワイトのサブ画素Ｗ、レッドのサブ画素Ｒ、及びグリーンのサブ画素Ｇの順に配列される。一方、これに制限されることではなく、サブ画素のグループＳＰＧ内のサブ画素の色相配列は、多様に変更されることができる。
【００４５】
表示パネル１００は、画素グループＰＧ１〜ＰＧ４を含む。画素グループＰＧ１〜ＰＧ４の各々は、互いに隣接する２つの画素を含む。図２では、４つの画素グループＰＧ１〜ＰＧ４を一例として図示した。各画素グループＰＧ１〜ＰＧ４が含むサブ画素の色相配列を除外すれば、互いに同一の構造を有する。以下、第１画素グループＰＧ１を一例として説明する。
【００４６】
第１画素グループＰＧ１は、第１方向ＤＲ１に互いに隣接する第１画素ＰＸ１及び第２画素ＰＸ２を含む。図２で、第１画素ＰＸ１及び第２画素ＰＸ２は、ハッチングが異なるようにして表示した。
【００４７】
表示パネル１００は、複数の画素領域ＰＡ１、ＰＡ２を含み、各画素領域ＰＡ１、ＰＡ２には画素ＰＸ１、ＰＸ２が配置される。このとき、画素ＰＸ１、ＰＸ２は、表示パネル１００の解像度を決定する単位素子であり、画素領域ＰＡ１、ＰＡ２は、各画素が配置された領域を意味する。画素領域ＰＡ１、ＰＡ２の各々は、互に異なる３つの色相を表現することができる領域である。
【００４８】
画素領域ＰＡ１、ＰＸ２の各々は、１：１の第１方向ＤＲ１対第２方向ＤＲ２の比率（以下、横縦比と称する）を有する領域に設定される。以下で、設定された画素領域の形状（横縦比）によって１つの画素は、１つのサブ画素の一部を含む。本発明によると、１つの独立的なサブ画素（一例として、第１画素グループＰＧ１のブルーのサブ画素Ｂ）は、１つの画素の内に含まれておらず、１つの独立的なサブ画素（一例として、第１画素グループＰＧ１のブルーのサブ画素Ｂ）の一部が１つの画素の中に含まれる。
【００４９】
第１画素領域ＰＡ１には、第１画素ＰＸ１が配置され、第２画素領域ＰＡ２には、第２画素ＰＸ２が配置される。
【００５０】
第１画素領域ＰＡ１と第２画素領域ＰＡ２とには、５つのサブ画素Ｒ、Ｇ、Ｂ、Ｗ、Ｒが配置される。
【００５１】
サブ画素Ｒ、Ｇ、Ｂ、Ｗ、Ｒの各々は、画素グループＰＧ１〜ＰＧ４の中でいずれか１つの画素グループＰＧ１に含まれる。即ち、サブ画素Ｒ、Ｇ、Ｂ、Ｗ、Ｒが２つ以上の画素グループの全てに共通に含まれないこともあり得る。
【００５２】
サブ画素Ｒ、Ｇ、Ｂ、Ｗ、Ｒの中で第１方向ＤＲ１に３番目のサブ画素Ｂ（以下、共有サブ画素）は、第１画素領域ＰＡ１及び第２画素領域ＰＡ２に重畳する。即ち、共有サブ画素Ｂは、第１画素ＰＸ１と第２画素ＰＸ２に含まれたサブ画素Ｒ、Ｇ、Ｂ、Ｗ、Ｒとの中で真ん中に配置され、第１画素領域ＰＡ１及び第２画素領域ＰＡ２に重畳している。
【００５３】
第１画素ＰＸ１と第２画素ＰＸ２とは、共有サブ画素Ｂを互いに共有する。このとき、第１画素ＰＸ１と第２画素ＰＸ２とが共有サブ画素Ｂを共有するという意味は、共有サブ画素Ｂに印加されるブルーデータが入力データＲＧＢの中で第１画素ＰＸ１に対応する第１ブルーデータと入力データＲＧＢの中で第２画素ＰＸ２に対応する第２ブルーデータとに基づいて生成されたデータであることを意味する。
【００５４】
同様に、第２乃至第４画素グループＰＧ２〜ＰＧ４の各々に含まれた２つの画素は、１つの共有サブ画素を互いに共有している。第１画素グループＰＧ１の共有サブ画素は、ブルーのサブ画素Ｂであり、第２画素グループＰＧ２の共有サブ画素は、ホワイトのサブ画素Ｗであり、第３画素グループＰＧ３の共有サブ画素は、レッドのサブ画素Ｒであり、第４画素グループＰＧ４の共有サブ画素は、グリーンのサブ画素Ｇである。
【００５５】
即ち、表示パネル１００は、各々が隣接する２つの画素を含む画素グループＰＧ１〜ＰＧ４を含み、各画素グループＰＧ１〜ＰＧ４の２つの画素ＰＸ１、ＰＸ２は、１つのサブ画素を共有する。
【００５６】
第１画素ＰＸ１及び第２画素ＰＸ２は、同一の水平走査期間の間に駆動される。水平走査期間は、１つのゲート信号のパルス−オン期間として定義される。即ち、第１画素ＰＸ１及び第２画素ＰＸ２は、同一のゲートラインに連結されて、同一のゲート信号によって駆動される。同様に、第１画素グループＰＧ１及び第２画素グループＰＧ２は、同一の第１番目の水平走査期間の間に駆動され、第３画素グループＰＧ３及び第４画素グループＰＧ４は、同一の第２番目の水平走査期間の間に駆動される。
【００５７】
本発明の実施形態で、第１画素ＰＸ１及び第２画素ＰＸ２の各々は、２．５個のサブ画素を含む。具体的に、第１画素ＰＸ１は、第１方向ＤＲ１にレッドのサブ画素Ｒ、グリーンのサブ画素Ｇ、及びブルーのサブ画素Ｂに対する１／２の持分を含む。第２画素ＰＸ２は、第１方向ＤＲ１にブルーのサブ画素Ｂに対する残りの１／２の持分、ホワイトのサブ画素Ｗ、及びレッドのサブ画素Ｒを含む。
【００５８】
本発明の実施形態で、第１画素ＰＸ１及び第２画素ＰＸ２の各々に含まれたサブ画素は、互に異なる３つの色相を表現する。第１画素ＰＸ１は、レッド、グリーン、及びブルーを表示し、第２画素ＰＸ２は、ブルー、ホワイト、及びレッドを表示する。
【００５９】
本発明の実施形態で、サブ画素の個数は、画素の個数の２．５倍である。例えば、２つの画素ＰＸ１、ＰＸ２は、５つのサブ画素Ｒ、Ｇ、Ｂ、Ｗ、Ｒを含む。言い換えれば、第１方向ＤＲ１に５つのサブ画素Ｒ、Ｇ、Ｂ、Ｗ、Ｒは、２つの第１画素ＰＸ１及び第２画素ＰＸ２が配置された第１画素領域ＰＡ１及び第２画素領域ＰＡ２の中に配置される。
【００６０】
図３は、図２の第１画素ＰＸ１とその周辺とを拡大して示した図面である。図３には、第１方向ＤＲ１に互いに隣接するデータラインＤＬｊ〜ＤＬｊ＋３（１≦ｊ＜ｍ）と第２方向ＤＲ２に互いに隣接するゲートラインＧＬｉ、ＧＬｉ＋１（１≦ｉ＜ｋ）とを示した。図３で、データラインＤＬｊ〜ＤＬｊ＋３（１≦ｊ＜ｍ）とゲートラインＧＬｉ、ＧＬｉ＋１（１≦ｉ＜ｋ）とによって区画された領域には、薄膜トランジスタ及び薄膜トランジスタと連結された電極が具備されるが、ここでは、省略されている。
【００６１】
図２及び図３を参照すれば、第１画素ＰＸ１及び第２画素ＰＸ２の各々の横縦比（第１方向ＤＲ１の長さＷ１対第２方向ＤＲ２の長さＷ３）は、実質的に１：１である。ここで、“実質的に“という用語の意味は、工程上の誤差等によって微細に変わる範囲を含む。画素ＰＸ１、ＰＸ２は、同一の形状を有するので、以下、第１画素ＰＸ１を一例として説明する。
【００６２】
第１画素ＰＸ１の第１方向ＤＲ１の長さＷ１は、ｊ番目のデータラインＤＬｊの第１方向ＤＲ１幅の中心とｊ＋１番目のデータラインＤＬｊ＋１の第１方向ＤＲ１幅の中心との間の距離Ｗ２の２．５倍として定義される。言い換えれば、第１画素ＰＸ１の第１方向ＤＲ１の長さＷ１は、ｊ番目のデータラインＤＬｊの第１方向ＤＲ１幅の中心とｊ＋２番目のデータラインＤＬｊ＋２の第１方向ＤＲ１幅の中心との間の距離及びｊ＋２番目のデータラインＤＬｊ＋２の第１方向ＤＲ１幅の中心とｊ＋３番目のデータラインＤＬｊ＋３の第１方向ＤＲ１幅の中心との間の距離の半分を合算した値である。一方、これに制限されることではなく、第１画素ＰＸ１の第１方向ＤＲ１の長さＷ１は、ｊ番目のデータラインＤＬｊの第１方向ＤＲ１幅の中心とｊ＋６番目のデータラインの第１方向ＤＲ１幅の中心との間の距離の半分として定義することもできる。
【００６３】
第１画素ＰＸ１の第２方向ＤＲ２の長さＷ３は、ｉ番目のゲートラインＧＬｉの第２方向ＤＲ２幅の中心とｉ＋１番目のゲートラインＧＬｉ＋１の第２方向ＤＲ２幅の中心との間の距離として定義される。一方、これに制限されることではなく、第１画素ＰＸ１の第２方向ＤＲ２の長さＷ３は、ｉ番目のゲートラインＧＬｉの第２方向ＤＲ２幅の中心とｉ＋２番目のゲートラインの第２方向ＤＲ２幅の中心との間の距離の半分として定義することもできる。
【００６４】
図４は、図２の１つのサブ画素（レッドのサブ画素）とその周辺とを拡大して示した図面である。図４には、第１方向ＤＲ１に互いに隣接するデータラインＤＬｊ、ＤＬｊ＋１（１≦ｊ＜ｍ）と第２方向ＤＲ２に互いに隣接するゲートラインＧＬｉ、ＧＬｉ＋１（１≦ｉ＜ｋ）とを示した。図４で、データラインＤＬｊ〜ＤＬｊ＋１（１≦ｊ＜ｍ）とゲートラインＧＬｉ、ＧＬｉ＋１（１≦ｉ＜ｋ）とによって区画された領域には、薄膜トランジスタ及び薄膜トランジスタと連結された電極とが具備されるが、ここでは、省略されている。
【００６５】
図２及び図４を参照すれば、サブ画素Ｒ、Ｇ、Ｂ、Ｗの各々の横縦比（第１方向ＤＲ１の長さＷ４対第２方向ＤＲ２の長さＷ５）は、実質的に１：２．５である。ここで、“実質的に”という用語の意味は、工程上の誤差等によって微細に変わる範囲を含む。サブ画素Ｒ、Ｇ、Ｂ、Ｗは、同一の形状を有するので、以下、レッドのサブ画素Ｒを一例として説明する。
【００６６】
レッドのサブ画素Ｒの第１方向ＤＲ１の長さＷ４は、ｊ番目のデータラインＤＬｊの第１方向ＤＲ１幅の中心とｊ＋１番目のデータラインＤＬｊ＋１の第１方向ＤＲ１幅の中心との間の距離Ｗ４として定義される。一方、これに制限されることではなく、レッドのサブ画素Ｒの第１方向ＤＲ１の長さＷ４は、ｊ番目のデータラインＤＬｊの第１方向ＤＲ１幅の中心とｊ＋２番目のデータラインの第１方向ＤＲ１幅の中心との間の距離の半分として定義することもできる。
【００６７】
レッドのサブ画素Ｒの第２方向ＤＲ２の長さＷ５は、ｉ番目のゲートラインＧＬｉの第２方向ＤＲ２幅の中心とｉ＋１番目のゲートラインＧＬｉ＋１の第２方向ＤＲ２幅の中心との間の距離として定義される。一方、これに制限されることではなく、レッドのサブ画素Ｒの第２方向ＤＲ２の長さＷ５は、ｉ番目のゲートラインＧＬｉの第２方向ＤＲ２幅の中心とｉ＋２番目のゲートラインの第２方向ＤＲ２幅の中心との間の距離の半分として定義されてもよい。
【００６８】
再び図２乃至図４を参照すれば、２行５列に配列されたサブ画素は、実質的に正方形をなす。即ち、第１画素グループＰＧ１及び第３画素グループＰＧ３に含まれたサブ画素は、実質的に正方形をなす。
【００６９】
また、画素グループＰＧ１〜ＰＧ４の各々の横縦比は、２：１である。第１画素グループＰＧ１を一例として説明すれば、第１画素グループＰＧ１は、５つのサブ画素Ｒ、Ｇ、Ｂ、Ｗ、Ｒからなる。第１画素グループＰＧ１をなすサブ画素Ｒ、Ｇ、Ｂ、Ｗ、Ｒの各々の横縦比は、実質的に２：ｎである。図２の実施形態で、ｎは、５であるので、サブ画素Ｒ、Ｇ、Ｂ、Ｗ、Ｒの横縦比は、１：２．５である。
【００７０】
本発明の表示装置によれば、１つの画素が２．５個のサブ画素を含むことによって、ＲＧＢ  Ｓｔｒｉｐｅ構造と同一の解像度を表現しながらも、データラインの数を５／６に減少させることができる。データラインの数が減少されることによって、データドライバ（図１の４００）の構成が簡単になってデータドライバ（図１の４００）の製造費用を節減することができる。また、データラインの数が減少されることによって、開口率を増加させることができる。
【００７１】
また、本発明の表示装置によれば、１つの画素で３つの色相を表示することができるので、１つの画素の中で２つのサブ画素を含む構造と同一の解像度を有する場合にも、より高い色再現性を有することができる。
【００７２】
図５は、図１のタイミングコントローラを示したブロック図である。
【００７３】
図５を参照すれば、タイミングコントローラ２００は、ガンマ補正部２１１、ガンママッピング部２１３、サブ画素レンダリング部２１５、逆ガンマ補正部２１７、及び飽和データ決定部２１９を含む。
【００７４】
ガンマ補正部２１１は、レッド、グリーン、及びブルーデータを有する入力データＲＧＢを受信する。一般的に、入力データＲＧＢは、非線形的な特性を有する。ガンマ補正部２１１は、非線形の特性を有する入力データＲＧＢにガンマ関数を適用して入力データＲＧＢを線形化させる。ガンマ補正部２１１は、以後のブロック（ガンママッピング部、サブ画素レンダリング部）でデータ処理を容易に遂行するために非線形の特性を有する入力データＲＧＢに基づいて線形化された入力データＲＧＢ’を生成する。線形化された入力データＲＧＢ’は、ガンママッピング部２１３に提供される。
【００７５】
ガンママッピング部２１３は、線形化された入力データＲＧＢ’に基づいてレッド、グリーン、ブルー、及びホワイトデータを有するＲＧＢＷのデータＲＧＢＷを生成する。ガンママッピング部２１３は、色域のマッピングアルゴリズムＧＭＡ（Ｇａｍｕｔ  Ｍａｐｐｉｎｇ  Ａｌｇｏｒｉｓｍ）を通じて線形化された入力データＲＧＢ’のＲＧＢ色域をＲＧＢＷ色域にマッピングさせてＲＧＢＷのデータＲＧＢＷを生成する。ＲＧＢＷのデータＲＧＢＷは、サブ画素レンダリング部２１５に提供される。ガンママッピング部２１３は、ＲＧＢＷのデータＲＧＢＷの以外に、線形化された入力データＲＧＢ’の輝度データをさらに生成することができる。輝度データは、バックライトユニット（不図示）の輝度を決定するための用途として使用される。
【００７６】
サブ画素レンダリング部２１５は、ＲＧＢＷのデータＲＧＢＷに対するレンダリング動作を遂行してサブ画素Ｒ、Ｇ、Ｂ、Ｗの各々に対応するレンダリングデータＲＧＢＷ２を生成する。ＲＧＢＷのデータＲＧＢＷは、各画素領域に対応するレッド、グリーン、ブルー、及びホワイトからなる４つの色相に関するデータを有する。但し、本発明の実施形態で、１つの画素は、互に異なる３つの色相を表現する２．５個のサブ画素（共有サブ画素を含む）を有するので、レンダリングデータＲＧＢＷ２は、各画素領域に対応するレッド、グリーン、ブルー、及びホワイトの中で３つの色相に関するデータを有する。サブ画素レンダリング部２１５に対する具体的な説明は、後述する。
【００７７】
レンダリングデータＲＧＢＷ２は、逆ガンマ補正部２１７に提供される。逆ガンマ補正部２１７は、レンダリングデータＲＧＢＷ２に対して逆ガンマ補正を遂行してレンダリングデータＲＧＢＷ２をガンマ補正の前の非線形化されたＲＧＢＷのデータＲＧＢＷ’に変換する。非線形化されたＲＧＢＷのデータＲＧＢＷ’のデータフォーマットは、データドライバ４００の仕様に合わせて変換され、出力データＲＧＢＷｆとしてデータドライバ４００に提供される。
【００７８】
飽和データ決定部２１９は、ガンママッピング部２１３からＲＧＢＷのデータＲＧＢＷを受信し、ＲＧＢＷのデータＲＧＢＷを画素の各々に対応する単位画素のデータ毎に分析して飽和された色相データを有するか否かに関する情報を有する飽和信号ＳＴＲを生成する。飽和データ決定部２１９は、１つの画素に対応する単位画素のデータが有するレッド、グリーン、及びブルーデータの中で既設定されたレベル以上の諧調値を有するものがある場合、単位画素のデータが飽和された色相データを有することとして判断する。飽和データ決定部２１９は、飽和信号ＳＴＲをサブ画素レンダリング部２１５に出力する。
【００７９】
図６は、図５のサブ画素レンダリング部を示したブロック図である。
【００８０】
図６を参照すれば、サブ画素レンダリング部２１５は、再サンプリングフィルタ２１５１（Ｒｅ−ｓａｍｐｌｉｎｇ  Ｆｉｌｔｅｒ）、メタ−シャープフィルタ２１５３（Ｍｅｔａ−Ｓｈａｒｐ  Ｆｉｌｔｅｒ）、セルフ−シャープフィルタ２１５５（Ｓｅｌｆ−Ｓｈａｒｐ  Ｆｉｌｔｅｒ）、ボックスフィルタ２１５７（Ｂｏｘ  Ｆｉｌｔｅｒ）、パターン検出フィルタ２１５８、及び飽和色相検出フィルタ２１５９を含む。
【００８１】
再サンプリングフィルタ２１５１は、レンダリングデータＲＧＢＷ２の中でターゲット画素に対応するデータをＲＧＢＷのデータＲＧＢＷの中でターゲット画素とターゲット画素に隣接する周囲画素とに対応するデータに基づいて生成するためのフィルタである。ターゲット画素は、演算又は検出の対象になる１つの画素として定義される。図２の表示パネル１００の構造及び各サブ画素の大きさと位置とを考慮して再サンプリングフィルタ２１５１のフィルタ係数が決定される。詳細な内容は、後述する。
【００８２】
メタ−シャープフィルタ２１５３は、ＲＧＢＷのデータＲＧＢＷが有する特定のパターンに再サンプリングフィルタ２１５１を適用しながら、歪曲されることを補償するフィルタである。メタ−シャープフィルタ２１５３は、ホワイト色相とブラック色相とからなるパターンをシャープニング処理して再サンプリングフィルタ２１５１を通過する前の状態に近く補償する。メタ−シャープフィルタ２１５３を通過したデータは、ホワイトパターンのブラー（Ｂｌｕｒ）の問題が緩和される。
【００８３】
セルフ−シャープフィルタ２１５５は、ＲＧＢＷのデータＲＧＢＷが有するレッド、グリーン、又はブルー色相を含む水平ラインのパターン、又は垂直ラインのパターンに再サンプリングフィルタ２１５１を適用しながら、歪曲されることを補償するフィルタである。セルフ−シャープフィルタ２１５５は、レッド、グリーン、又はブルー色相を含む水平ラインのパターン、又は垂直ラインのパターンをシャープニング処理して再サンプリングフィルタ２１５１を通過する前の状態に近く補償する。
【００８４】
ボックスフィルタ２１５７は、ＲＧＢＷのデータＲＧＢＷが有するレッド、グリーン、又はブルー色相を含むドットパターン、又は斜線パターンを補償するフィルタである。ボックスフィルタ２１５７は、レッド、グリーン、又はブルー色相を含むドットパターン、又は斜線パターンを図２の表示パネル１００の構造で適切に表現することができるように補償する。
【００８５】
パターン検出フィルタ２１５８は、第１入力端ＩＴ１と第２入力端ＩＴ２とを含む。パターン検出フィルタ２１５８は、ＲＧＢＷのデータＲＧＢＷを分析してドットパターンや斜線パターンが検出されるか否かにしたがって第１入力端ＩＴ１と第２入力端ＩＴ２とに受信されるデータの中でいずれか１つを選択的に出力する。
【００８６】
パターン検出フィルタ２１５８の第１入力端ＩＴ１には、ＲＧＢＷのデータＲＧＢＷに再サンプリングフィルタ２１５１を適用したデータとＲＧＢＷのデータＲＧＢＷにセルフ−シャープフィルタ２１５５を適用したデータとを合わせたデータが入力される。パターン検出フィルタ２１５８の第２入力端ＩＴ２には、ＲＧＢＷのデータＲＧＢＷにボックスフィルタ２１５７を適用したデータが入力される。
【００８７】
パターン検出フィルタ２１５８は、ＲＧＢＷのデータＲＧＢＷの中でターゲット画素に対応するデータがドットパターンや斜線パターンを有する場合、第２入力端ＩＴ２に入力されたターゲット画素に対応するデータを出力する。パターン検出フィルタ２１５８は、ターゲット画素に対応するＲＧＢＷのデータＲＧＢＷがドットパターンや斜線パターンを有しない場合、第１入力端ＩＴ１に入力されたターゲット画素に対応するデータを出力する。
【００８８】
飽和色相検出フィルタ２１５９は、第３入力端ＩＴ３及び第４入力端ＩＴ４を含む。飽和色相検出フィルタ２１５９は、飽和信号ＳＴＲを分析して飽和された色相が検出されるか否かにしたがって第３入力端ＩＴ３と第４入力端ＩＴ４とに受信されるデータの中でいずれか１つを選択的に出力する。
【００８９】
飽和色相検出フィルタ２１５９の第３入力端ＩＴ３には、ＲＧＢＷのデータＲＧＢＷに再サンプリングフィルタ２１５１を適用したデータとＲＧＢＷのデータＲＧＢＷにメタ−シャープフィルタ２１５３を適用したデータとを合わせたデータが入力される。飽和色相検出フィルタ２１５９の第４入力端ＩＴ４には、パターン検出フィルタ２１５８から出力されたデータが入力される。
【００９０】
飽和色相検出フィルタ２１５９は、ＲＧＢＷのデータＲＧＢＷの中でターゲット画素に対応するデータが飽和された色相を有する場合、第４入力端ＩＴ４に入力されたデータを出力する。飽和色相検出フィルタ２１５９は、ＲＧＢＷのデータＲＧＢＷの中でターゲット画素に対応するデータが飽和された色相データを有しない場合、第３入力端ＩＴ３に入力されたデータを出力する。
【００９１】
飽和色相検出フィルタ２１５９から出力されたデータは、レンダリングデータＲＧＢＷ２として出力される。
【００９２】
図７は、表示パネル１００に再サンプリング領域を示した図面であり、図８は、表示パネル１００で図７の再サンプリング領域を占める画素領域の比率を示した図面である。図７及び図８には、レッド及びグリーンのサブ画素に対する再サンプリング領域ＳＡ１〜ＳＡ５と１つの画素が占める画素領域ＰＸＡを図示した。図７で、レッド、グリーン、ブルー、及びホワイトのサブ画素の各々は、互に異なるハッチングで表示し、凡例に各ハッチングに該当するサブ画素を表示した。
【００９３】
図７を参照すれば、レッドのサブ画素及びグリーンのサブ画素の間を再サンプリングポイントＳＰとして設定する。再サンプリングのポイントを基準に互いに隣接するレッドのサブ画素及びグリーンのサブ画素がカバーすべき再サンプリング領域ＳＡ１〜ＳＡ５を設定する。
【００９４】
前記再サンプリング領域ＳＡ１〜ＳＡ５の各々は、４つのサブ画素と同一の面積を有するように設定される。再サンプリング領域ＳＡ１〜ＳＡ５は、互いに同一の面積を有するように設定される。再サンプリング領域ＳＡ１〜ＳＡ５の各々は、大略的な斜方形の形状に設定される。再サンプリング領域ＳＡ１〜ＳＡ５は、画素領域ＰＡの内で再サンプリングのポイントＳＰの位置にしたがって第１乃至第５再サンプリング領域ＳＡ１〜ＳＡ５を含む。
【００９５】
図８を参照すれば、第１乃至第５再サンプリング領域ＳＡ１〜ＳＡ５の各々に重畳した画素領域の比率を示す。図８で、第１乃至第５再サンプリング領域ＳＡ１〜ＳＡ５の各々は、ハッチングで表示した。第１再サンプリング領域ＳＡ１を占める第１乃至第９画素領域ＰＸＡ１〜ＰＸＡ９の各々の比率を例示的に説明する。第１乃至第９画素領域ＰＸＡ１〜ＰＸＡ９は、第１再サンプリング領域ＳＡ１に一部重畳するか、或いは隣接し、３行３列の形状に配置される。
【００９６】
第１再サンプリング領域ＳＡ１の面積を１であると仮定すれば、第２画素領域ＰＸＡ２、第４画素領域ＰＸＡ４、及び第８画素領域ＰＸＡ８の各々は、第１再サンプリング領域ＳＸＡ１の０．１２５を占める。第５画素領域ＰＸＡ５は、第１再サンプリング領域ＳＡ１の０．５９３８を占め、第６画素領域ＰＸＡ６は、第１再サンプリング領域ＳＡ１の０．０３１３を占める。
【００９７】
図９Ａは、第１再サンプリング領域ＳＡ１を占める画素領域の割合によって決定されたフィルタ係数を有する第１再サンプリングフィルタＲＦ１を示した図面である。図９Ｂ乃至図９Ｅは、第１再サンプリングフィルタＲＦ１と類似な方式に決定された第２乃至第５再サンプリング領域ＳＡ２〜ＳＡ５の各々を占める画素領域の割合によって決定されたフィルタ係数を有する第２乃至第５再サンプリングフィルタＲＦ２〜ＲＦ５を示した図面である。
【００９８】
図９Ａ乃至図９Ｅに示された第１乃至第５再サンプリングフィルタＲＦ１〜ＲＦ５の各々のフィルタ係数の総和は、２５６であることを示している。しかし、これに制限されることではなく、第１乃至第５再サンプリングフィルタＲＦ１〜ＲＦ５の各々のフィルタ係数は、互いの比率に意味があるので、総和は、変わることができる。例えば、第１乃至第５再サンプリングフィルタＲＦ１〜ＲＦ５の各々のフィルタ係数の総和を１で示すか、或いは、２５６より大きい値で示すことができる。
【００９９】
第１再サンプリングフィルタＲＦ１は、３行３列のマトリックス形状に配列されたフィルタ係数を有する。第１再サンプリングフィルタＲＦ１の第１行第１列のフィルタ係数は、０であり、第１行第２列のフィルタ係数は、３２であり、第１行第３列のフィルタ係数は、０であり、第２行第１列のフィルタ係数は、３２であり、第２行第２列のフィルタ係数は、１５２であり、第２行第３列のフィルタ係数は、８であり、第３行第１列のフィルタ係数は、０であり、第３行第２列のフィルタ係数は、３２であり、第３行第３列のフィルタ係数は、０である。
【０１００】
第２再サンプリングフィルタＲＦ２は、３行２列のマトリックス形状に配列されたフィルタ係数を有する。第２再サンプリングフィルタＲＦ２の第１行第１列のフィルタ係数は、１６であり、第１行第２列のフィルタ係数は、１６であり、第２行第１列のフィルタ係数は、９６であり、第２行第２列のフィルタ係数は、９６であり、第３行第１列のフィルタ係数は、１６であり、第３行第２列のフィルタ係数は、１６である。
【０１０１】
第３再サンプリングフィルタＲＦ３は、３行３列のマトリックス形状に配列されたフィルタ係数を有する。第３再サンプリングフィルタＲＦ３の第１行第１列のフィルタ係数は、０であり、第１行第２列のフィルタ係数は、３２であり、第１行第３列のフィルタ係数は、０であり、第２行第１列のフィルタ係数は、８であり、第２行第２列のフィルタ係数は、１５２であり、第２行第３列のフィルタ係数は、３２であり、第３行第１列のフィルタ係数は、０であり、第３行第２列のフィルタ係数は、３２であり、第３行第３列のフィルタ係数は、０である。
【０１０２】
第４再サンプリングフィルタＲＦ４は、３行２列のマトリックス形状に配列されたフィルタ係数を有する。第４再サンプリングフィルタＲＦ４の第１行第１列のフィルタ係数は、４であり、第１行第２列のフィルタ係数は、２８であり、第２行第１列のフィルタ係数は、６４であり、第２行第２列のフィルタ係数は、１２８であり、第３行第１列のフィルタ係数は、４であり、第３行第２列のフィルタ係数は、２８である。
【０１０３】
第５再サンプリングフィルタＲＦ５は、３行２列のマトリックス形状に配列されたフィルタ係数を有する。第５再サンプリングフィルタＲＦ５の第１行第１列のフィルタ係数は、２８であり、第１行第２列のフィルタ係数は、４であり、第２行第１列のフィルタ係数は、１２８であり、第２行第２列のフィルタ係数は、６４であり、第３行第１列のフィルタ係数は、２８であり、第３行第２列のフィルタ係数は、４である。
【０１０４】
図９Ａ乃至図９Ｅに図示された第１乃至第５再サンプリングフィルタＲＦ１〜ＲＦ５は、レッドのサブ画素及びグリーンのサブ画素の間を再サンプリングポイントＳＰに設定した時、導出されるフィルタである。図７及び図８に示さなかったが、ブルーのサブ画素及びホワイトのサブ画素の間を再サンプリングポイントＳＰに設定したとき、導出されるフィルタは、図９Ａ乃至図９Ｅに示された第１乃至第５再サンプリングフィルタＲＦ１〜ＲＦ５と同一であり、順序に差がある。
【０１０５】
第１再サンプリング領域ＳＡ１と第２再サンプリング領域ＳＡ２との間に設定されるブルーのサブ画素及びホワイトのサブ画素の再サンプリング領域から図９Ｄの第４再サンプリングフィルタＲＦ４が導出される。第２再サンプリング領域ＳＡ２と第３再サンプリング領域ＳＡ３との間に設定されるブルーのサブ画素及びホワイトのサブ画素の再サンプリング領域から図９Ｅの第５再サンプリングフィルタＲＦ５が導出される。第３再サンプリング領域ＳＡ３と第４再サンプリング領域ＳＡ４との間に設定されるブルーのサブ画素及びホワイトのサブ画素の再サンプリング領域から図９Ａの第１再サンプリングフィルタＲＦ１が導出される。第４再サンプリング領域ＳＡ４と第５再サンプリング領域ＳＡ５との間に設定されるブルーのサブ画素及びホワイトのサブ画素の再サンプリング領域から図９Ｂの第２再サンプリングフィルタＲＦ２が導出される。第５再サンプリング領域ＳＡ５と未図示された第６再サンプリング領域ＳＡ６との間に設定されるブルーのサブ画素及びホワイトのサブ画素の再サンプリング領域から図９Ｃの第３再サンプリングフィルタＲＦ３が導出される。
【０１０６】
図１０Ａ乃至図１０Ｅは、第１乃至第５メタ−シャープフィルタＭＦ１〜ＭＦ５を示した図面である。
【０１０７】
図６及び図１０Ａ乃至図１０Ｅを参照すれば、メタ−シャープフィルタ２１５３は、第１乃至第５メタ−シャープフィルタＭＦ１〜ＭＦ５を含む。
【０１０８】
図１０Ａ乃至図１０Ｅに図示された第１乃至第５メタ−シャープフィルタＭＦ１〜ＭＦ５の各々は、フィルタ係数の総和が０である。
【０１０９】
第１乃至第５メタ−シャープフィルタＭＦ１〜ＭＦ５の各々は、図９Ａ乃至図９Ｅに示された第１乃至第５再サンプリングフィルタＲＦ１〜ＲＦ５の各々と同一のマトリックス形状を有する。
【０１１０】
第１メタ−シャープフィルタＭＦ１の第１行第１列のフィルタ係数は、０であり、第１行第２列のフィルタ係数は、−３２であり、第１行第３列のフィルタ係数は、０であり、第２行第１列のフィルタ係数は、−３２であり、第２行第２列のフィルタ係数は、１０４であり、第２行第３列のフィルタ係数は、−８であり、第３行第１列のフィルタ係数は、０であり、第３行第２列のフィルタ係数は、−３２であり、第３行第３列のフィルタ係数は、０である。
【０１１１】
第２メタ−シャープフィルタＭＦ２の第１行第１列のフィルタ係数は、−１６であり、第１行第２列のフィルタ係数は、−１６であり、第２行第１列のフィルタ係数は、−３２であり、第２行第２列のフィルタ係数は、９６であり、第３行第１列のフィルタ係数は、−１６であり、第３行第２列のフィルタ係数は、−１６である。
【０１１２】
第３メタ−シャープフィルタＭＦ３の第１行第１列のフィルタ係数は、０であり、第１行第２列のフィルタ係数は、−３２であり、第１行第３列のフィルタ係数は、０であり、第２行第１列のフィルタ係数は、−８であり、第２行第２列のフィルタ係数は、４０であり、第２行第３列のフィルタ係数は、３２であり、第３行第１列のフィルタ係数は、０であり、第３行第２列のフィルタ係数は、−３２であり、第３行第３列のフィルタ係数は、０である。
【０１１３】
第４メタ−シャープフィルタＭＦ４の第１行第１列のフィルタ係数は、−４であり、第１行第２列のフィルタ係数は、−２８であり、第２行第１列のフィルタ係数は、−６４であり、第２行第２列のフィルタ係数は、１２８であり、第３行第１列のフィルタ係数は、−４であり、第３行第２列のフィルタ係数は、−２８である。
【０１１４】
第５メタ−シャープフィルタＭＦ５の第１行第１列のフィルタ係数は、−２８であり、第１行第２列のフィルタ係数は、−４であり、第２行第１列のフィルタ係数は、６４であり、第２行第２列のフィルタ係数は、０であり、第３行第１列のフィルタ係数は、−２８であり、第３行第２列のフィルタ係数は、−４である。
【０１１５】
第１乃至第５メタ−シャープフィルタＭＦ１〜ＭＦ５は、図９Ａ乃至図９Ｅに示された第１乃至第５再サンプリングフィルタＲＦ１〜ＲＦ５の中で対応するものと演算適用される。ＲＧＢＷのデータＲＧＢＷの中で第１再サンプリングフィルタＲＦ１が適用されたデータとＲＧＢＷのデータＲＧＢＷの中で第１メタ−シャープフィルタＭＦ１が適用されたデータとを合わせたデータが飽和色相検出フィルタ２１５９の第３入力端ＩＴ３に入力される。ＲＧＢＷのデータＲＧＢＷの中で第２再サンプリングフィルタＲＦ２が適用されたデータとＲＧＢＷのデータＲＧＢＷの中で第２メタ−シャープフィルタＭＦ２が適用されたデータとを合わせたデータが飽和色相検出フィルタ２１５９の第３入力端ＩＴ３に入力される。ＲＧＢＷのデータＲＧＢＷの中で第３再サンプリングフィルタＲＦ３が適用されたデータとＲＧＢＷのデータＲＧＢＷの中で第３メタ−シャープフィルタＭＦ３が適用されたデータとを合わせたデータが飽和色相検出フィルタ２１５９の第３入力端ＩＴ３に入力される。ＲＧＢＷのデータＲＧＢＷの中で第４再サンプリングフィルタＲＦ４が適用されたデータとＲＧＢＷのデータＲＧＢＷの中で第４メタ−シャープフィルタＭＦ４が適用されたデータとを合わせたデータが飽和色相検出フィルタ２１５９の第３入力端ＩＴ３に入力される。ＲＧＢＷのデータＲＧＢＷの中で第５再サンプリングフィルタＲＦ５が適用されたデータとＲＧＢＷのデータＲＧＢＷの中で第５メタ−シャープフィルタＭＦ５が適用されたデータとを合わせたデータが飽和色相検出フィルタ２１５９の第３入力端ＩＴ３に入力される。
【０１１６】
図１１Ａ乃至図１１Ｅは、第１乃至第５セルフ−シャープフィルタＳＦ１〜ＳＦ５を示した図面である。
【０１１７】
図６及び図１１Ａ乃至図１１Ｅを参照すれば、セルフ−シャープフィルタ２１５５は、第１乃至第５セルフ−シャープフィルタＳＦ１〜ＳＦ５を含む。
【０１１８】
図１１Ａ乃至図１１Ｅに図示された第１乃至第５セルフ−シャープフィルタＳＦ１〜ＳＦ５の各々は、フィルタ係数の総和が０である。
【０１１９】
第１乃至第５セルフ−シャープフィルタＳＦ１〜ＳＦ５の各々は、図９Ａ乃至図９Ｅに図示された第１乃至第５再サンプリングフィルタＲＦ１〜ＲＦ５の各々と同一のマトリックス形状を有する。
【０１２０】
第１セルフ−シャープフィルタＳＦ１の第１行の１列のフィルタ係数は、−１６であり、第１行第２列のフィルタ係数は、０であり、第１行第３列のフィルタ係数は、−１６であり、第２行第１列のフィルタ係数は、０であり、第２行第２列のフィルタ係数は、４０であり、第２行第３列のフィルタ係数は、２４であり、第３行第１列のフィルタ係数は、−１６であり、第３行第２列のフィルタ係数は、０であり、第３行第３列のフィルタ係数は、−１６である。
【０１２１】
第２セルフ−シャープフィルタＳＦ２の第１行第１列のフィルタ係数は、−１６であり、第１行第２列のフィルタ係数は、−１６であり、第２行第１列のフィルタ係数は、−３２であり、第２行第２列のフィルタ係数は、９６であり、第３行第１列のフィルタ係数は、−１６であり、第３行第２列のフィルタ係数は、−１６である。
【０１２２】
第３セルフ−シャープフィルタＳＦ３の第１行第１列のフィルタ係数は、−２０であり、第１行第２列のフィルタ係数は、−１２であり、第１行第３列のフィルタ係数は、０であり、第２行第１列のフィルタ係数は、３２であり、第２行第２列のフィルタ係数は、０であり、第２行第３列のフィルタ係数は、３２であり、第３行第１列のフィルタ係数は、−２０であり、第３行第２列のフィルタ係数は、−１２であり、第３行第３列のフィルタ係数は、０である。
【０１２３】
第４セルフ−シャープフィルタＳＦ４の第１行の第１列のフィルタ係数は、−３６であり、第１行第２列のフィルタ係数は、−４であり、第２行第１列のフィルタ係数は、０であり、第２行第２列のフィルタ係数は、１２８であり、第３行第１列のフィルタ係数は、−３６であり、第３行第２列のフィルタ係数は、−４である。
【０１２４】
第５セルフ−シャープフィルタＳＦ５の第１行第１列のフィルタ係数は、−２８であり、第１行第２列のフィルタ係数は、−４であり、第２行第１列のフィルタ係数は、０であり、第２行第２列のフィルタ係数は、６４であり、第３行第１列のフィルタ係数は、−２８であり、第３行第２列のフィルタ係数は、−４である。
【０１２５】
第１乃至第５セルフ−シャープフィルタＳＦ１〜ＳＦ５は、図９Ａ乃至図９Ｅに図示された第１乃至第５再サンプリングフィルタＲＦ１〜ＲＦ５の中で対応するものと演算適用される。ＲＧＢＷのデータＲＧＢＷの中で第１再サンプリングフィルタＲＦ１が適用されたデータとＲＧＢＷのデータＲＧＢＷの中で第１セルフ−シャープフィルタＳＦ１が適用されたデータとを合わせたデータがパターン検出フィルタ２１５８の第１入力端ＩＴ１に入力される。ＲＧＢＷのデータＲＧＢＷの中で第２再サンプリングフィルタＲＦ２が適用されたデータとＲＧＢＷのデータＲＧＢＷの中で第２セルフ−シャープフィルタＳＦ２が適用されたデータとを合わせたデータがパターン検出フィルタ２１５８の第１入力端ＩＴ１に入力される。ＲＧＢＷのデータＲＧＢＷの中で第３再サンプリングフィルタＲＦ３が適用されたデータとＲＧＢＷのデータＲＧＢＷの中で第３セルフ−シャープフィルタＳＦ３が適用されたデータとを合わせたデータがパターン検出フィルタ２１５８の第１入力端ＩＴ１に入力される。ＲＧＢＷのデータＲＧＢＷの中で第４再サンプリングフィルタＲＦ４が適用されたデータとＲＧＢＷのデータＲＧＢＷの中で第４セルフ−シャープフィルタＳＦ４が適用されたデータとを合わせたデータがパターン検出フィルタ２１５８の第１入力端ＩＴ１に入力される。ＲＧＢＷのデータＲＧＢＷの中で第５再サンプリングフィルタＲＦ５が適用されたデータとＲＧＢＷのデータＲＧＢＷの中で第５セルフ−シャープフィルタＳＦ５が適用されたデータとを合わせたデータがパターン検出フィルタ２１５８の第１入力端ＩＴ１に入力される。
【０１２６】
図１２は、ボックスフィルタを導出する過程を示した図面である。図１２の（ａ）は、８つの画素に含まれたサブ画素を示した図面であり、図１２の（ｂ）は、８つの画素に設定されたボックスの再サンプリング領域を示した図面であり、図１２の（ｃ）は、ＲＧＢＷのデータＲＧＢＷの中で各画素に対応する単位画素のデータが最大階調のレッド色相を示す場合、ボックスフィルタを適用したとき、表示される画素を示した図面である。
【０１２７】
図１２の（ａ）に示された第１乃至第８画素ＰＸＬ１〜ＰＸＬ８を基準に説明する。第１乃至第８画素ＰＸＬ１〜ＰＸＬ８は、図２の表示パネル１００の一部である。
【０１２８】
図１２の（ａ），（ｂ）を参照すれば、連続的に配置されたレッドのサブ画素、グリーンのサブ画素、ブルーのサブ画素、及びホワイトのサブ画素を１つのボックスの再サンプリング領域として設定する。１つのボックスの再サンプリング領域は、４つのサブ画素と同一の面積を有するように設定される。第１乃至第８画素ＰＸＬ１〜ＰＸＬ８に第１乃至第５ボックスの再サンプリング領域ＢＡ１〜ＢＡ５が設定される。
【０１２９】
図１２の（ｂ）に第１乃至第５ボックスの再サンプリング領域ＢＡ１〜ＢＡ５の境界を確定するために第１乃至第５ボックスの再サンプリング領域ＢＡ１〜ＢＡ５の中で隣接するもの同士で陰影を異ならせて表示した。
【０１３０】
また、図１２の（ｂ）には、第１乃至第５ボックスの再サンプリング領域ＢＡ１〜ＢＡ５の各々の内で第１乃至第８画素ＰＸＬ１〜ＰＸＬ８の各々が占める比率を表示した。第１ボックスの再サンプリング領域ＢＡ１の内で第１画素ＰＸＬ１が占める比率は、０．６２５であり、第２画素ＰＸＬ２が占める比率は、０．３７５である。第２ボックスの再サンプリング領域ＢＡ２の内で第２画素ＰＸＬ２が占める比率は、０．２５であり、第３画素ＰＸＬ３が占める比率は、０．６２５であり、第４画素ＰＸＬ４が占める比率は、０．１２５である。第３ボックスの再サンプリング領域ＢＡ３の内で第４画素ＰＸＬ４が占める比率は、０．５であり、第５画素ＰＸＬ５が占める比率は、０．５である。第４ボックスの再サンプリング領域ＢＡ４の内で第５画素ＰＸＬ５が占める比率は、０．１２５であり、第６画素ＰＸＬ６が占める比率は、０．６２５であり、第７画素ＰＸＬ７が占める比率は、０．２５である。第５ボックスの再サンプリング領域ＢＡ５の内で第７画素ＰＸＬ７が占める比率は、０．３７５であり、第８画素ＰＸＬ８が占める比率は、０．６２５である。
【０１３１】
図１２の（ｃ）を参照すれば、ＲＧＢＷのデータＲＧＢＷの中で第１画素ＰＸＬ１に対応するデータが最大階調のレッド色相を有する場合、ボックスフィルタを適用した時、第１ボックスの再サンプリング領域ＢＡ１の内のレッドのサブ画素で最大輝度の６２．５％を表示する。
【０１３２】
ＲＧＢＷのデータＲＧＢＷの中で第２画素ＰＸＬ２に対応するデータが最大階調のレッド色相を有する場合、ボックスフィルタを適用した時、第１ボックスの再サンプリング領域ＢＡ１の内のレッドのサブ画素で最大輝度の３７．５％を表示し、第２ボックスの再サンプリング領域ＢＡ２の内のレッドのサブ画素で最大輝度の２５％を表示する。
【０１３３】
ＲＧＢＷのデータＲＧＢＷの中で第３画素ＰＸＬ３に対応するデータが最大階調のレッド色相を有する場合、ボックスフィルタを適用した時、第２ボックスの再サンプリング領域ＢＡ２の内のレッドのサブ画素で最大輝度の６２．５％で表示する。
【０１３４】
ＲＧＢＷのデータＲＧＢＷの中で第４画素ＰＸＬ４に対応するデータが最大階調のレッド色相を有する場合、ボックスフィルタを適用した時、第２ボックスの再サンプリング領域ＢＡ２の内のレッドのサブ画素で最大輝度の１２．５％を表示し、第３ボックスの再サンプリング領域ＢＡ３の内のレッドのサブ画素で最大輝度の５０％を表示する。
【０１３５】
ＲＧＢＷのデータＲＧＢＷの中で第５画素ＰＸＬ５に対応するデータが最大階調のレッド色相を有する場合、ボックスフィルタを適用した時、第３ボックスの再サンプリング領域ＢＡ３の内のレッドのサブ画素で最大輝度の５０％に表示され、第４ボックスの再サンプリング領域ＢＡ４の内のレッドのサブ画素で最大輝度の１２．５％を表示する。
【０１３６】
ＲＧＢＷのデータＲＧＢＷの中で第６画素ＰＸＬ６に対応するデータが最大階調のレッド色相を有する場合、ボックスフィルタを適用した時、第４ボックスの再サンプリング領域ＢＡ４の内のレッドのサブ画素で最大輝度の６２．５％を表示する。
【０１３７】
ＲＧＢＷのデータＲＧＢＷの中で第７画素ＰＸＬ７に対応するデータが最大階調のレッド色相を有する場合、ボックスフィルタを適用した時、第４ボックスの再サンプリング領域ＢＡ４の内のレッドのサブ画素で最大輝度の２５％を表示し、第５ボックスの再サンプリング領域ＢＡ５の内のレッドのサブ画素で最大輝度の３７．５％を表示する。
【０１３８】
ＲＧＢＷのデータＲＧＢＷの中で第８画素ＰＸＬ８に対応するデータが最大階調のレッド色相を有する場合、ボックスフィルタを適用した時、第５ボックスの再サンプリング領域ＢＡ５の内のレッドのサブ画素で最大輝度の６２．５％を表示する。
【０１３９】
図１３Ａは、第１ボックスの再サンプリング領域ＢＡ１を占める画素の割合によって決定されたフィルタ係数を有する第１ボックスフィルタＢＦ１を示した図面である。図１３Ｂ乃至図１３Ｅは、第１ボックスフィルタＢＦ１と類似な方式に決定された第２乃至第５ボックスの再サンプリング領域ＢＡ２〜ＢＡ５の各々を占める画素の割合によって決定されたフィルタ係数を有する第２乃至第５ボックスフィルタＢＦ２〜ＢＦ５を示した図面である。
【０１４０】
図１３Ａ乃至図１３Ｅに示された第１乃至第５ボックスの再サンプリングフィルタＢＦ１〜ＢＦ５の各々は、フィルタ係数の総和が２５６であることを示している。しかし、これに制限されることではなく、第１乃至第５ボックスの再サンプリングフィルタＢＦ１〜ＢＦ５の各々のフィルタ係数は、互いの比率としての意味があるので、総和は、変わることができる。例えば、第１乃至第５ボックスフィルタＢＦ１〜ＢＦ５の各々のフィルタ係数の総和を１に示すか、或いは２５６より大きい値とすることができる。
【０１４１】
第１ボックスフィルタＢＦ１は、１行２列のマトリックス形状に配列されたフィルタ係数を有する。第１ボックスフィルタＢＦ１の第１行第１列のフィルタ係数は、１６０であり、第１行第２列のフィルタ係数は、９６である。
【０１４２】
第２ボックスフィルタＢＦ２は、１行３列のマトリックス形状に配列されたフィルタ係数を有する。第２ボックスフィルタＢＦ２の第１行第１列のフィルタ係数は、６４であり、第１行第２列のフィルタ係数は、１６０であり、第１行第３列のフィルタ係数は、３２である。
【０１４３】
第３ボックスフィルタＢＦ３は、１行２列のマトリックス形状に配列されたフィルタ係数を有する。第３ボックスフィルタＢＦ３の第１行第１列のフィルタ係数は、１２８であり、第１行第２列のフィルタ係数は、１２８である。
【０１４４】
第４ボックスフィルタＢＦ４は、１行３列のマトリックス形状に配列されたフィルタ係数を有する。第４ボックスフィルタＢＦ４の第１行第１列のフィルタ係数は、３２であり、第１行第２列のフィルタ係数は、１６０であり、第１行第３列のフィルタ係数は、６４である。
【０１４５】
第５ボックスフィルタＢＦ５は、１行２列のマトリックス形状に配列されたフィルタ係数を有する。第５ボックスフィルタＢＦ５の第１行第１列のフィルタ係数は、９６であり、第１行第２列のフィルタ係数は、１６０である。
【０１４６】
図１４は、本発明の他の実施形態による図１の表示パネルの一部を示した図面である。
【０１４７】
図１４に図示された表示パネル１０１は、図２に示された表示パネル１００と比較すれば、サブ画素の色相配列に差があり、残りは、実質的に類似である。以下、図１４に示された表示パネル１０１は、図２に示された表示パネル１００と比較して差異点を中心に説明する。
【０１４８】
図１４で、サブ画素Ｒ、Ｇ、Ｂ、Ｗは、２行５列に配列された１０個のサブ画素からなるサブ画素のグループＳＰＧ単位に反復的に配列される。前記サブ画素のグループは、２つのレッドのサブ画素、２つのグリーンのサブ画素、２つのブルーのサブ画素、及び４つのホワイトのサブ画素を含む。
【０１４９】
サブ画素グループＳＰＧの中で第１行のサブ画素は、第１方向ＤＲ１にレッドのサブ画素Ｒ、グリーンのサブ画素Ｇ、ホワイトのサブ画素Ｗ、ブルーのサブ画素Ｂ、及びホワイトのサブ画素Ｗの順に配列される。また、サブ画素のグループＳＰＧの中で第２行のサブ画素は、第１方向ＤＲ１にブルーのサブ画素Ｂ、ホワイトのサブ画素Ｗ、ホワイトのサブ画素Ｗ、レッドのサブ画素Ｒ、及びグリーンのサブ画素Ｇの順に配列される。一方、これに制限されることではなく、サブ画素の色相配列は、多様に変更されることができる。
【０１５０】
第１画素グループＰＧ１で共有されるサブ画素は、ホワイト色相を表示する。また、第２画素グループＰＧ２で共有されるサブ画素は、ホワイト色相を表示する。即ち、図１４の表示パネル１０１で共有サブ画素は、ホワイト色相を表示するホワイトのサブ画素である。
【０１５１】
図１４に示された表示パネル１０１によれば、図２に示された表示パネル１００と比べてホワイトのサブ画素の数が増加されることによって、全体的な輝度が向上されることができる。また、図１４に示された表示パネル１０１によると、各画素グループの２つの画素は、ホワイトのサブ画素を互いに共有することによって、１つの画素にＲＧＢＷサブ画素の中で２つのサブ画素からなる構造と比べて各画素の内でホワイトのサブ画素が占める面積が減少する。したがって、ホワイトのサブ画素の追加によって、イエロー対ホワイトの比（Ｙ／Ｗの比）が減少する問題を最小化することができる。
【０１５２】
図１５は、本発明の他の実施形態に係る図１の表示パネルの一部を示した図面である。
【０１５３】
図１５に示された表示パネル１０２は、図２に示された表示パネル１００と比較すれば、サブ画素の色相配列に差があり、残りは、実質的に類似である。以下、図１５に示された表示パネル１０２は、図２に示された表示パネル１００と比較して差異点を中心に説明する。
【０１５４】
図１５で、サブ画素Ｒ、Ｇ、Ｂ、Ｗは、２行５列に配列された１０個のサブ画素になされたサブ画素のグループＳＰＧ単位に反復的に配列されることができる。前記サブ画素のグループは、３つのレッドのサブ画素、３つのグリーンのサブ画素、２つのブルーのサブ画素、及び２つのホワイトのサブ画素を含む。
【０１５５】
サブ画素グループＳＰＧの中で第１行のサブ画素は、第１方向ＤＲ１にレッドのサブ画素Ｒ、グリーンのサブ画素Ｇ、ホワイトのサブ画素Ｗ、ブルーのサブ画素Ｂ、及びレッドのサブ画素Ｒの順に配列されることができる。また、サブ画素のグループＳＰＧの中で第２行のサブ画素は、第１方向ＤＲ１にグリーンのサブ画素Ｇ、ブルーのサブ画素Ｂ、ホワイトのサブ画素Ｗ、レッドのサブ画素Ｒ、及びグリーンのサブ画素Ｇの順に配列されることができる。一方、これに制限されることではなく、サブ画素の色相配列は、多様に変更されることができる。
【０１５６】
第１画素グループＰＧ１で共有されるサブ画素は、ホワイト色相を表示する。また、第２画素グループＰＧ２で共有されるサブ画素は、ホワイト色相を表示する。即ち、図１５の表示パネル１０２で共有サブ画素は、ホワイト色相を表示するホワイトのサブ画素である。
【０１５７】
また、図１５に図示された表示パネル１０２によると、各画素グループの２つの画素は、ホワイトのサブ画素を互いに共有することによって、１つの画素にＲＧＢＷサブ画素の中で２つのサブ画素からなる構造と比べて各画素の内でホワイトのサブ画素が占める面積が減少する。したがって、ホワイトのサブ画素の追加によってイエロー対ホワイトの比（Ｙ／Ｗの比）が減少する問題を最小化することができる。
【０１５８】
人間の目の色相別の認知解像度は、グリーン＞レッド＞ブルー＞ホワイトの順である。図１５の表示パネル１０２によると、レッドのサブ画素とグリーンのサブ画素とを、ブルーのサブ画素とホワイトのサブ画素より多く配置することによって、表示装置の色相にしたがう認知解像度を向上させることができる。
【０１５９】
一方、本発明は、記載された実施形態に限定されることなく、本発明の思想及び範囲を逸脱しなく、多様に修正及び変形ができることは、この技術分野で通常の知識を有する者には明確である。したがって、そのような変形例、又は修正例は、本発明の特許請求の範囲に属するものとして理解しなければならない。
【符号の説明】
【０１６０】
１００：表示パネル
２００：タイミングコントローラ
３００：ゲートドライバ
４００：データドライバ
ＰＧ１〜ＰＧ４：第１乃至第４画素グループ
ＰＸ１、ＰＸ２：第１及び第２サブ画素
２１１：ガンマ補正部
２１３：ガンママッピング部
２１５：サブ画素レンダリング部
２１７：逆ガンマ補正部
２１９：飽和データ決定部
２１５１：再サンプリングフィルタ
２１５３：メタ−シャープフィルタ
２１５５：セルフ−シャープフィルタ
２１５７：ボックスフィルタ
２１５８：パターン検出フィルタ
２１５９：飽和色相検出フィルタ
【図１】
2016145982.tif 000003
【図２】
2016145982.tif 000004
【図３】
2016145982.tif 000005
【図４】
2016145982.tif 000006
【図５】
2016145982.tif 000007
【図６】
2016145982.tif 000008
【図７】
2016145982.tif 000009
【図８】
2016145982.tif 000010
【図９Ａ】
2016145982.tif 000011
【図９Ｂ】
2016145982.tif 000012
【図９Ｃ】
2016145982.tif 000013
【図９Ｄ】
2016145982.tif 000014
【図９Ｅ】
2016145982.tif 000015
【図１０Ａ】
2016145982.tif 000016
【図１０Ｂ】
2016145982.tif 000017
【図１０Ｃ】
2016145982.tif 000018
【図１０Ｄ】
2016145982.tif 000019
【図１０Ｅ】
2016145982.tif 000020
【図１１Ａ】
2016145982.tif 000021
【図１１Ｂ】
2016145982.tif 000022
【図１１Ｃ】
2016145982.tif 000023
【図１１Ｄ】
2016145982.tif 000024
【図１１Ｅ】
2016145982.tif 000025
【図１２】
2016145982.tif 000026
【図１３Ａ】
2016145982.tif 000027
【図１３Ｂ】
2016145982.tif 000028
【図１３Ｃ】
2016145982.tif 000029
【図１３Ｄ】
2016145982.tif 000030
【図１３Ｅ】
2016145982.tif 000031
【図１４】
2016145982.tif 000032
【図１５】
2016145982.tif 000033